(57)【要約】【課題】より簡便な操作によって画像の一部を見易く表示する。【解決手段】表示画面への表示を制御する制御部１０と、表示画面上の接触を検知する検知部１４とを備え、前記制御部１０は、表示画面に一の画像を表示中に、表示画面上の一の位置において第１の所定時間以上の接触が検知された場合に、表示画面上の前記一の位置である接触位置に対応する表示画像上の指示位置を中心に、表示画像を表示画面内において、接触時間に応じて漸次拡大し、前記指示位置を中心に拡大した拡大表示画像の表示中に、前記接触が検知されたまま前記接触位置の移動が検知させた場合に、前記拡大表示画像を表示画面内において移動させるように制御する。【選択図】図１
2012242913.tif 000002
【特許請求の範囲】
【請求項１】
表示画面への表示を制御する制御部と、
表示画面上の接触を検知する検知部と
を備え、
前記制御部は、
表示画面に一の画像を表示中に、表示画面上の一の位置において第１の所定時間以上の接触が検知された場合に、表示画面上の前記一の位置である接触位置に対応する表示画像上の指示位置を中心に、表示画像を表示画面内において、接触時間に応じて漸次拡大し、
前記指示位置を中心に拡大した拡大表示画像の表示中に、前記接触が検知されたまま前記接触位置の移動が検知させた場合に、前記拡大表示画像を表示画面内において移動させるように制御する
ことを特徴とする電子機器。
【請求項２】
請求項１に記載の電子機器において、
前記制御部は、
前記拡大表示画像の表示中に、又は、前記拡大表示画像を移動させた拡大移動表示画像の表示中に、前記接触が検知されなくなった場合に、前記接触が検知されなくなってから第２の所定時間経過後に、前記接触の検知前の元の大きさの表示画像を表示画面内に表示するように制御する
ことを特徴とする電子機器。
【請求項３】
請求項２に記載の電子機器において、
前記制御部は、
前記拡大表示画像の表示中に、前記接触が検知されなくなってから第２の所定時間経過前に、再度、前記接触が検知された場合には、再度、表示中の前記拡大表示画像を漸次拡大するように制御し、
前記拡大表示画像の表示中に、前記接触が検知されなくなってから第２の所定時間経過前に、再度、前記接触位置の移動が検知された場合には、表示中の前記拡大表示画像を移動させるように制御し、
前記拡大移動表示画像の表示中に、前記接触が検知されなくなってから第２の所定時間経過前に、再度、前記接触が検知された場合には、再度、表示中の前記拡大移動表示画像を漸次拡大するように制御し、
前記拡大移動表示画像の表示中に、前記接触が検知されなくなってから第２の所定時間経過前に、再度、前記接触位置の移動が検知された場合には、再度、表示中の前記拡大移動表示画像を移動させるように制御する
ことを特徴とする電子機器。
【請求項４】
請求項２又は請求項３に記載の電子機器において、
前記制御部は、
前記拡大表示画像、又は、前記拡大移動表示画像の表示中に、前記接触が検知されなくなってから第２の所定時間経過前に、所定の前記接触が検知された場合に、表示中の前記拡大表示画像、又は、前記拡大移動表示画像をトリミング画像として切り出すように制御する
ことを特徴とする電子機器。
【請求項５】
請求項１乃至請求項４の何れか１項に記載の電子機器において、
前記制御部は、
表示画面上の複数の位置において第１の所定時間以上の接触が検知された場合に、複数の接触位置に対応する表示画像上の一の位置を指示位置とし、前記接触位置の数に応じた拡大率により、表示画像を表示画面内において、接触時間に応じて漸次拡大するように制御する
ことを特徴とする電子機器。
【請求項６】
表示画面への表示を制御する制御部と、
表示画面上の接触を検知する検知部と
を備え、
前記制御部は、
表示画面に一の画像を表示中に、表示画面上の一の部分を囲うような軌跡となる接触位置の移動が検知された場合に、表示画面上の前記一の部分に対応する表示画像上の指示位置を中心に、表示画像を表示画面内において拡大し、
前記指示位置を中心に拡大した拡大表示画像の表示中に、再度、表示画面上の一の部分を囲うような軌跡となる接触位置の移動が検知された場合に、再度、前記指示位置を中心に、前記拡大表示画像を表示画面内において拡大するように制御する
ことを特徴とする電子機器。  
【発明の詳細な説明】
【技術分野】
【０００１】
本発明は、電子機器に関するものである。
【背景技術】
【０００２】
現在、表示画面上に表示された画像の所定の領域を、拡大ボタンを操作して拡大する技術が知られている（例えば、特許文献１参照）。
【先行技術文献】
【特許文献】
【０００３】
【特許文献１】特開２００７−２９５１８３号公報
【発明の概要】
【発明が解決しようとする課題】
【０００４】
しかしながら、引用文献１の技術では、表示画面とは別の位置に拡大ボタンが存在するため、ユーザは、表示画像上の所望の領域を拡大する際に、表示画面から一旦目を離して操作ボタンを操作しなければならないという問題がある。また、表示画面上に、画像表示領域とは別の領域に操作ボタンを表示する場合であっても、表示画像から一旦目を離して操作ボタンを操作しなればならないという問題がある。
本発明は、より簡便な操作により画像の一部分を見易く表示するための技術を提供する。
【課題を解決するための手段】
【０００５】
上記問題を解決するために、本発明の一態様である電子機器は、表示画面への表示を制御する制御部と、表示画面上の接触を検知する検知部とを備え、前記制御部は、表示画面に一の画像を表示中に、表示画面上の一の位置において第１の所定時間以上の接触が検知された場合に、表示画面上の前記一の位置である接触位置に対応する表示画像上の指示位置を中心に、表示画像を表示画面内において、接触時間に応じて漸次拡大し、前記指示位置を中心に拡大した拡大表示画像の表示中に、前記接触が検知されたまま前記接触位置の移動が検知させた場合に、前記拡大表示画像を表示画面内において移動させるように制御することを特徴とする。
【０００６】
上記電子機器において、前記制御部は、前記拡大表示画像の表示中に、又は、前記拡大表示画像を移動させた拡大移動表示画像の表示中に、前記接触が検知されなくなった場合に、前記接触が検知されなくなってから第２の所定時間経過後に、前記接触の検知前の元の大きさの表示画像を表示画面内に表示するように制御するようにしてもよい。
【０００７】
上記電子機器において、前記制御部は、前記拡大表示画像の表示中に、前記接触が検知されなくなってから第２の所定時間経過前に、再度、前記接触が検知された場合には、再度、表示中の前記拡大表示画像を漸次拡大するように制御し、前記拡大表示画像の表示中に、前記接触が検知されなくなってから第２の所定時間経過前に、再度、前記接触位置の移動が検知された場合には、表示中の前記拡大表示画像を移動させるように制御し、前記拡大移動表示画像の表示中に、前記接触が検知されなくなってから第２の所定時間経過前に、再度、前記接触が検知された場合には、再度、表示中の前記拡大移動表示画像を漸次拡大するように制御し、前記拡大移動表示画像の表示中に、前記接触が検知されなくなってから第２の所定時間経過前に、再度、前記接触位置の移動が検知された場合には、再度、表示中の前記拡大移動表示画像を移動させるように制御するようにしてもよい。
【０００８】
上記電子機器において、前記制御部は、前記拡大表示画像、又は、前記拡大移動表示画像の表示中に、前記接触が検知されなくなってから第２の所定時間経過前に、所定の前記接触が検知された場合に、表示中の前記拡大表示画像、又は、前記拡大移動表示画像をトリミング画像として切り出すように制御するようにしてもよい。
【０００９】
上記電子機器において、前記制御部は、表示画面上の複数の位置において第１の所定時間以上の接触が検知された場合に、複数の接触位置に対応する表示画像上の一の位置を指示位置とし、前記接触位置の数に応じた拡大率により、表示画像を表示画面内において、接触時間に応じて漸次拡大するように制御するようにしてもよい。
【００１０】
上記問題を解決するために、本発明の他の態様である電子機器は、表示画面への表示を制御する制御部と、表示画面上の接触を検知する検知部とを備え、前記制御部は、表示画面に一の画像を表示中に、表示画面上の一の部分を囲うような軌跡となる接触位置の移動が検知された場合に、表示画面上の前記一の部分に対応する表示画像上の指示位置を中心に、表示画像を表示画面内において拡大し、前記指示位置を中心に拡大した拡大表示画像の表示中に、再度、表示画面上の一の部分を囲うような軌跡となる接触位置の移動が検知された場合に、再度、前記指示位置を中心に、前記拡大表示画像を表示画面内において拡大するように制御することを特徴とする。
【発明の効果】
【００１１】
本発明によれば、操作ボタンを操作する場合に比べ、より簡便な操作によって、画像の一部を見易く表示することができる。
【図面の簡単な説明】
【００１２】
【図１】本発明の実施形態による電子機器１の概略斜視図及び機能ブロック図の一例である。
【図２】制御部１０による画像の表示制御の一例を説明するための説明図である。
【図３】電子機器１の動作の一例を示すフローチャートである。
【図４】制御部１０による画像の表示制御の他の例を説明するための説明図である。
【図５】制御部１０による画像の表示制御の他の例を説明するための説明図である。
【発明を実施するための形態】
【００１３】
以下、図面を参照しながら本発明の実施形態について説明する。図１は、本発明の実施形態による電子機器１の概略斜視図及び機能ブロック図の一例である。
【００１４】
電子機器１は、図１（ａ）に示すように、小型の電子機器である。電子機器１は、図１（ｂ）に示すように、制御部１０、表示部１２、検知部１４及び記憶部１８を備える。
【００１５】
記憶部１８は、種々の情報を記憶する。例えば、記憶部１８は、画像を記憶する。なお、記憶部１８に記憶されている画像は、通信部（非図示）、記憶媒体装着部（非図示）を介して、外部から取得したものであってもよいし、撮像部（非図示）によって撮像されたものであってもよい。
【００１６】
表示部１２は、図１（ａ）に示すような表示画面１３を有する。表示部１２は、制御部１０の制御に従って、図１（ａ）に示すように表示画面１３の略全体に画像Ｐ０を表示する。
【００１７】
検知部１４は、表示画面１３の内側に配置されたタッチセンサであって、表示画面１３上の人の指、又は、ペンなどによる接触（タッチ）を検知する。検知部１４は、接触を検知した場合、接触位置を含む検知結果を制御部１０に出力する。
【００１８】
制御部１０は、記憶部１８に記憶された画像を読み出して表示画面１３への表示を制御する。また、制御部１０は、検知部１４による検知結果に応じて、表示画面１３に表示されている画像の表示を制御する。また、制御部１０は、表示画面１３に表示されている画像に対し、トリミング処理（一部領域の切り出し処理）を実行し、トリミング画像を記憶部１８に記憶する。以下、制御部１０については詳しく説明する。
【００１９】
図２は、制御部１０による画像の表示制御の一例を説明するための説明図である。
制御部１０は、表示画面１３に一の画像の表示中に、表示画面１３上の一の位置において第１の所定時間以上の接触が検知された場合に、表示画面１３上の当該接触位置に対応する表示画像上の指示位置を中心に、表示画像を表示画面１３内において、接触時間に応じて漸次拡大するように制御する。
【００２０】
例えば、制御部１０は、図２（ａ）に示すように表示画面１３に画像Ｐ０を表示中に、図２（ｂ）に示す表示画面１３上の位置Ｉ１において第１の所定時間以上の接触が検知された場合に、当該接触が検知されている間、表示画像Ｐ０（図２（ｂ））を、接触時間に応じて、表示画像Ｐ１（図２（ｃ））、表示画像Ｐ２（図２（ｄ））の如く、漸次拡大するように制御する。なお、表示画像Ｐ１は、指示位置（表示画面１３上の接触位置Ｉ１に対応する表示画像Ｐ０上の位置。図２（ｂ）において、人間の手と犬の鼻先の間の画素）を中心に表示画像Ｐ０を拡大した拡大表示画像である。表示画像Ｐ２は、指示位置（表示画面１３上の接触位置Ｉ１に対応する表示画像Ｐ１上の位置。図２（ｃ）において、人間の手と犬の鼻先の間の画素）を中心に表示画像Ｐ１を拡大した拡大表示画像である。
【００２１】
また、制御部１０は、指示位置を中心に拡大した拡大表示画像の表示中に、接触が検知されたまま接触位置の移動が検知させた場合に、当該拡大表示画像を表示画面１３内において移動させるように制御する。
【００２２】
例えば、制御部１０は、図２（ｄ）に示すように拡大表示画像Ｐ２の表示中に、接触位置Ｉ１（図２（ｄ））から接触位置Ｉ２（図２（ｅ））へ左方向への移動が検知された場合、拡大表示画像Ｐ２（図２（ｄ））を、拡大表示画像Ｐ２−１（図２（ｅ））の如く、表示画面１３内において移動させるように制御する。なお、拡大表示画像Ｐ２−１（図２（ｅ））は、接触位置Ｉ１→接触位置Ｉ２の移動に連れて、拡大表示画像Ｐ２（図２（ｄ））を、指示位置（人間の手と犬の鼻先の間の画素）を維持したまま移動させた拡大移動表示画像である。
【００２３】
また、制御部１０は、拡大表示画像の表示中に、又は、拡大移動表示画像の表示中に、接触が検知されなくなった場合に、接触が検知されなくなってから第２の所定時間経過後に、当該接触の検知前の元の大きさの表示画像を表示画面１３内に表示するように制御してもよい。
【００２４】
例えば、制御部１０は、図２（ｆ）に示すように、拡大移動表示画像Ｐ２−１の表示中において接触が検知されなくなった場合、その後、再度の接触が検知されぬまま第２の所定時間が経過したときに、表示中の拡大移動表示画像Ｐ２−１（図２（ｆ））代えて、表示画像Ｐ０（図２（ａ））を表示画面１３内に表示するように制御してもよい。
【００２５】
また、制御部１０は、拡大表示画像（拡大移動表示画像も同様）の表示中に、接触が検知されなくなってから第２の所定時間経過前に、再度、接触が検知された場合には、再度、表示中の拡大表示画像（拡大移動表示画像も同様）を漸次拡大するように制御し、再度、接触位置の移動が検知された場合には、表示中の拡大表示画像（拡大移動表示画像も同様）を移動させるように制御してもよい。
【００２６】
例えば、制御部１０は、図２（ｆ）に示すように、拡大移動表示画像Ｐ２−１の表示中において接触が検知されなくなった場合、その後、第２の所定時間が経過する前に、図２（ｇ）に示すように、位置Ｉ３における接触が検知されたときは、当該接触が検知されている間、拡大移動表示画像Ｐ２−１（図２（ｇ））を、接触位置Ｉ３に対応する指示位置（犬の耳の後部の画素）を中心に、接触時間に応じて、表示画像Ｐ３（図２（ｈ））の如く漸次拡大してもよい。
【００２７】
また、制御部１０は、拡大表示画像、又は、拡大移動表示画像の表示中に、接触が検知されなくなってから第２の所定時間経過前に、所定の接触が検知された場合に、表示中の拡大表示画像、又は、拡大移動表示画像をトリミング画像として切り出すように制御してもよい。
【００２８】
例えば、制御部１０は、図２（ｆ）に示す拡大移動表示画像Ｐ２−１の表示中に、表示画面１３の所定部分（例えば左上隅）を素早く２回連続して軽く接触が検知された場合に、当該拡大移動表示画像をトリミング画像として記憶部１８に記憶してもよい。なお、上述の、所定部分を素早く２回連続して軽く接触は、電子機器１にトリミングの指示を与える接触の一例であって、電子機器１にトリミングの指示を与える接触は、これに限定されない。即ち、拡大の指示（同一の接触位置における接触）、移動の指示（接触位置の移動）と区別し得る接触の態様であれば、電子機器１にトリミングの指示を与える接触として、所定部分を素早く２回連続して軽く接触以外の接触の態様を用いてもよい。
【００２９】
なお、図２（ａ）〜図２（ｄ）に示した表示画像Ｐ０から表示画像Ｐ２への拡大は、便宜上、２段階（表示画像Ｐ０→表示画像Ｐ１→表示画像Ｐ２）としているが、３段階以上、即ち、より滑らかに漸次拡大させるようにしてもよい。図２（ｇ）〜図２（ｈ）に示した表示画像Ｐ２−１から表示画像Ｐ３への拡大についても同様である。
【００３０】
以下、電子機器１の動作の動作について説明する。図３は、電子機器１の動作の一例を示すフローチャートである。なお、図３に示すフローチャートの開始時において、電子機器１は、表示画面１３に画像を表示しているものとする。
【００３１】
制御部１０は、第１の所定時間以上の表示画面１３に対する接触が検知されたか否かを判断する（ステップＳ１０）。ステップＳ１０において第１の所定時間以上の表示画面１３に対する接触が検知されていないと判断した場合（ステップＳ１０：Ｎｏ）、図３に示すフローチャートは終了する。
【００３２】
一方、ステップＳ１０において第１の所定時間以上の表示画面１３に対する接触が検知されたと判断した場合（ステップＳ１０：Ｙｅｓ）、制御部１０は、接触位置に対応する表示画像上の指示位置を中心に、表示画像を表示画面１３内において拡大するように表示部１２を制御し、当該制御に従って、表示部１２は表示画像を表示画面１３内において拡大する（ステップＳ１２）。
【００３３】
ステップＳ１２に続いて、制御部１０は、表示画面１３において接触位置の移動が検知されたか否かを判断する（ステップＳ１４）。ステップＳ１４において接触位置の移動が検知されたと判断した場合（ステップＳ１４：Ｙｅｓ）、制御部１０は、表示画像（拡大表示画像）を表示画面１３内において移動させるように表示部１２を制御し、当該制御に従って、表示部１２は表示画像を表示画面１３内において移動する（ステップＳ１６）。
【００３４】
ステップＳ１６に続いて、制御部１０は、接触位置の移動が未検知になったか否かを判断する（ステップＳ１８）。換言すれば、制御部１０は、表示画面１３において接触位置の移動が無くなったか否かを判断する。ステップＳ１８において接触位置の移動が未検知になっていないと判断した場合（ステップＳ１８：Ｎｏ）、ステップＳ１６に戻る。つまり、制御部１０は、表示画面１３において接触位置が移動している間、表示画像（拡大表示画像）を表示画面１３内において移動させるように制御する。
【００３５】
一方、ステップＳ１４において接触位置の移動が検知されていないと判断した場合（ステップＳ１４：Ｎｏ）、又は、ステップＳ１８において接触位置の移動が未検知になったと判断した場合（ステップＳ１８：Ｙｅｓ）、制御部１０は、接触が未検知になったか否かを判断する（ステップＳ２０）。換言すれば、制御部１０は、表示画面１３への接触が無くなったか否かを判断する。ステップＳ２０において接触が未検知になっていないと判断した場合（ステップＳ２０：Ｎｏ）、ステップＳ１２に戻る。つまり、制御部１０は、表示画面１３に対する接触がある間、表示画像（拡大表示画像）を表示画面１３内において拡大させるように制御する。
【００３６】
一方、ステップＳ２０において接触が未検知になったと判断した場合（ステップＳ２０：Ｙｅｓ）、制御部１０は、表示画面１３に対する再接触が検知されたか否かを判断する（ステップＳ２２）。即ち、制御部１０は、表示画面１３に対する接触を止めた後に再度の接触があったか否かを判断する。
【００３７】
ステップＳ２２において再接触が検知されていないと判断した場合（ステップＳ２２：Ｎｏ）、制御部１０は、表示画面１３に対する接触が未検知となってから第２の所定時間が経過したか否かを判断する（ステップＳ２４）。ステップＳ２４において第２の所定時間が経過していないと判断した場合（ステップＳ２４：Ｎｏ）、ステップＳ２２に戻る。つまり、制御部１０は、表示画面１３に対する接触が無くなってから第２の所定時間が経過する迄の間、表示画面１３に対する再接触が検知されたか否かを判断する。
【００３８】
ステップＳ２２において再接触が検知されたと判断した場合（ステップＳ２２：Ｙｅｓ）、ステップＳ１２に戻る。
【００３９】
一方、ステップＳ２４において第２の所定時間が経過したと判断した場合（ステップＳ２４：Ｙｅｓ）、制御部１０は、元の大きさの表示画像を表示画面１３内に表示するように表示部１２を制御し、当該制御に従って、表示部１２は元の大きさの表示画像を表示画面１３内に表示する（ステップＳ２６）。そして、図３に示すフローチャートは終了する。  
【００４０】
なお、ステップＳ２２において再接触が検知されたと判断した場合に（ステップＳ２２：Ｙｅｓ）、制御部１０は、当該再接触が第１の所定時間以上の接触が継続した否かを判断し、継続した場合にはステップＳ１２に戻り、継続しなかった場合には、第２の所定時間の起算時刻を当該再接触が未検知となった時刻にリセットし、ステップＳ２４に進むようにしてもよい。つまり、制御部１０は、第１の所定時間以上の再接触があった場合には、再度、表示画像を拡大する制御を行い、第１の所定時間未満の再接触があった場合には、元の大きさに表示画像への切り替えを遅らせる制御を行うようにしてもよい。
【００４１】
以上、本実施形態による電子機器１によれば、操作ボタンを操作する場合に比べ、より簡便な操作によって、画像の一部を見易く表示することができる。
【００４２】
なお、上記説明では、表示画面１３に対する同時の接触は１箇所であったが、同時に２箇所以上を接触して表示画像の表示を制御してもよい。また、同時に２箇所以上を接触して表示画像の表示を制御する場合には、接触位置の数（接触した箇所の数）と拡大率（即ち、単位接触時間毎の拡大倍率）とを関連付けるようにしてもよい。
【００４３】
即ち、制御部１０は、表示画面１３上の複数の位置において第１の所定時間以上の接触が検知された場合に、複数の接触位置に対応する表示画像上の一の位置を指示位置とし、接触位置の数に応じた拡大率により、表示画像を表示画面１３内において、接触時間に応じて漸次拡大するように制御してもよい。
【００４４】
図４は、制御部１０による画像の表示制御の他の例を説明するための説明図である。例えば、制御部１０は、図４（ａ）に示すように表示画面１３に画像Ｐ０を表示中に、図４（ｂ）に示す表示画面１３上の位置Ｉ４及び位置Ｉ５において第１の所定時間以上の接触が検知された場合に、接触位置Ｉ４及び接触位置Ｉ５に対応する表示画像上の一の位置（接触位置Ｉ４及び接触位置Ｉ５の中心位置）を指示位置とし、当該接触が検知されている間、接触位置の数が１のときの拡大率よりも大きい拡大率により、表示画像Ｐ０（図４（ｂ））を、接触時間に応じて、表示画像Ｐ２（図４（ｃ））、表示画像Ｐ４（図４（ｄ））の如く、漸次拡大してもよい。
【００４５】
なお、表示画像Ｐ２（図４（ｃ））と表示画像Ｐ２（図２（ｄ））とは共に同程度に拡大された拡大表示画像であるが、表示画像Ｐ０（図４（ｂ））を表示画像Ｐ２（図４（ｃ））に拡大するのに要する時間は、表示画像Ｐ０（図２（ｂ））を表示画像Ｐ２（図２（ｄ））に拡大するのに要する時間に比べて短い。また、表示画像Ｐ０（図４（ｂ））を表示画像Ｐ３（図４（ｄ））に拡大するのに要する時間と表示画像Ｐ０（図２（ｂ））を表示画像Ｐ２（図２（ｄ））に拡大するのに要する時間とは共に同程度の時間であるが、表示画像Ｐ３（図４（ｄ））は、表示画像Ｐ２（図２（ｄ））に比べて、より拡大されている。
【００４６】
なお、接触位置が３点以上の場合には、接触位置によって形成される多角形の重心を指示位置としてもよいし、全ての接触位置を囲む最小の矩形の重心を指示位置としてもよい。また、接触位置が複数の場合には、複数の接触位置に対応する指示位置を表示画面１３上に表示してもよい。例えば、制御部１０は、図４（ｅ）に示すように、接触位置Ｉ４及び接触位置Ｉ５の中心を指示位置Ｓとして「×」印により表示するように制御し、また、図４（ｆ）に示すように、接触位置Ｉ６、接触位置Ｉ７及び接触位置Ｉ８を含む最小の矩形Ｋの重心を指示位置Ｓとして「×」印により表示するように制御してもよい。
【００４７】
また、上記説明では、表示画面１３上の一の位置において第１の所定時間以上の接触が検知された場合に、表示画面１３に表示中の表示画像を拡大したが、表示画面１３上の一の部分を囲うような軌跡となる接触位置の移動が検知された場合に、表示画面１３に表示中の表示画像を拡大するようにしてもよい。
【００４８】
即ち、制御部１０は、表示画面１３に一の画像を表示中に、表示画面１３上の一の部分を囲うような軌跡となる接触位置の移動が検知された場合に、表示画面１３上の当該部分に対応する表示画像１３上の指示位置を中心に、表示画像を表示画面１３内において拡大するように制御してもよい。また、制御部１０は、指示位置を中心に拡大した拡大表示画像（拡大移動表示画像）の表示中に、再度、表示画面１３上の一の部分を囲うような軌跡となる接触位置の移動が検知された場合に、再度、指示位置を中心に、拡大表示画像（拡大移動表示画像）を表示画面１３内において拡大するように制御してもよい。
【００４９】
図５は、制御部１０による画像の表示制御の他の例を説明するための説明図である。例えば、制御部１０は、図５（ａ）に示すように表示画面１３に画像Ｐ０を表示中に、図５（ｂ）に示す表示画面１３上の一の部分を囲うような軌跡となる接触位置の移動Ｍ１が検知された場合に、移動Ｍ１によって囲まれる部分の中心位置（図５（ｂ）において人間の手と犬の鼻先の間の画素）を中心に、表示画像Ｐ０（図５（ｂ））を、拡大移動表示画像Ｐ１−１（図５（ｃ））の如く、拡大及び移動するように制御する。即ち、制御部１０は、表示画像Ｐ０（図５（ｂ））において移動Ｍ１によって囲まれる部分の中心位置（人間の手と犬の鼻先の間の画素）が、拡大移動表示画像Ｐ１−１（図５（ｃ））において表示画面１３の中心に位置するように拡大、移動を制御する。
【００５０】
また、制御部１０は、図５（ｃ）に示すように表示画面１３に拡大移動表示画像Ｐ１−１を表示中に、図５（ｄ）に示す表示画面１３上の一の部分を囲うような軌跡となる接触位置の移動Ｍ２が検知された場合に、移動Ｍ２によって囲まれる部分の中心位置（図５（ｂ）において犬の胸部の画素）を中心に、拡大移動表示画像Ｐ１−１（図５（ｄ））を拡大移動表示画像Ｐ２−１（図５（ｅ））の如く、拡大及び移動するように制御する。即ち、制御部１０は、表示画像Ｐ１−１（図５（ｄ））において移動Ｍ２によって囲まれる部分の中心位置（犬の胸部の画素）が、拡大移動表示画像Ｐ２−１（図５（ｅ））において表示画面１３の中心に位置するように拡大、移動を制御する。同様に、制御部１０は、表示画像Ｐ２−１（図５（ｆ））において移動Ｍ３によって囲まれる部分の中心位置（犬の頭部の画素）を、拡大移動表示画像Ｐ３−１（図５（ｅ））の如く、拡大及び移動するように制御する。
【００５１】
なお、制御部１０は、接触位置の移動によって囲まれる中心位置が、表示画面１３の中心であるときは、移動を要しないため、拡大のみを制御すればよい。
【００５２】
以上、図４、図５に示す態様によっても、操作ボタンを操作する場合に比べ、より簡便な操作によって、画像の一部を見易く表示することができる。
【００５３】
なお、図２、図４及び図５に示した表示画像は、元の大きさのときに全領域が表示画面１３上に表示されるものであるが、電子機器１が記憶部１８に記憶する画像は、元の大きさのときに全領域が表示画面１３に表示されないような大きな画像（例えば、地図画像）であってもよい。なお、上述の大きな画像を表示する場合、制御部１０は、拡大移動表示画像の表示後に、接触が検知されなくなってから第２の所定時間経過したときは、当該拡大移動表示画像の中心位置を維持したまま元の大きさに縮小した表示画像（即ち、拡大前の元の大きさの画像に対して、拡大後に移動させていた移動分、移動させた元の大きさの画像）を表示するように制御してもよい。
【００５４】
なお、本発明の実施形態による電子機器１の各処理を実行するためのプログラムをコンピュータ読み取り可能な記録媒体に記録して、当該記録媒体に記録されたプログラムをコンピュータシステムに読み込ませ、実行することにより、本発明の実施形態による電子機器１の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５６】
以上、この発明の実施形態について図面を参照して詳述してきたが、具体的な構成はこの実施形態に限られるものではなく、この発明の要旨を逸脱しない範囲の設計等も含まれる。
【符号の説明】
【００５７】
１…電子機器  １０…制御部  １２…表示部  １３…表示画面  １４…検知部  １８…記憶部  
【図１】
2012242913.tif 000003
【図２】
2012242913.tif 000004
【図３】
2012242913.tif 000005
【図４】
2012242913.tif 000006
【図５】
2012242913.tif 000007